(57)【要約】本発明は、湿式型空気清浄器に関し、より詳細には、空気清浄器の内部に汚染空気を通過させて汚染源を水と接触させることにより汚染源を除去し、空気清浄器内の回転ファンの回転により汚染空気を内部に流入させると同時に、内部に流入した水を回転する回転ファンに衝突接触させて粒子の微細な水粒子として分散させて空気との接触面積を大きくし、空気中の汚染物質が、染み込んだ水と一緒に、移動時間の長い狭小な移動通路を経ることにより、長い水と空気の滞留時間および衝突時間を長く持つようにして、貯蔵タンクに流入または沈殿するようにするとともに、室内環境の加湿機能を持つようにする湿式型空気清浄器に関する。
2018516754.tif 000002
【特許請求の範囲】
【請求項１】
上面が通孔付き網体（１１０）からなり、外側面が密閉された外部カバー（１００）と、
前記外部カバー（１００）の下部に設けられ、下面内側に貫通して外側面に連通する排出口（２１０）が多数穿設され、前記多数の排出口（２１０）が形成配列された下面内側に多数の貫通孔（２２０）が上面に貫通して形成された空気排出部（２００）と、
前記空気排出部（２００）の下部に設けられ、内部には区画された浄化筒（３００ｂ）が設置された貯蔵タンク（３００ａ）と、
前記空気排出部（２００）の上面中央に結束されたモーター（４２０）に連結され、外部カバー（１００）の内部に設置される横流型回転ファン（４００ａ）と、
前記外部カバー（１００）と前記回転ファン（４００ａ）との間に設置され、外側面が密閉され且つ上部が開放された内部カバー（５００）と、
前記内部カバー（５００）の上端部に設けられ、貯蔵タンク（３００ａ）の浄化筒（３００ｂ）内に設置されたポンプ（３１０）に連結されて空気排出部（２００）を貫通して外部カバー（１００）と内部カバー（５００）との間を通じて上方に延びた移動管（３２０）の端部に連結され、内部に流路ホール（６１０）を有し、下面に多数のノズル孔（６２０）を有するノズル部（６００）とを含んでなる、湿式型空気清浄器。
【請求項２】
前記浄化筒を貯蔵タンクの底面に設置するとき、
貯蔵タンク（３００ａ）の内部の底面に固定されるようにさらに含まれる受け部（３３０）は、
内側に安着段差部（３３２）が形成された多数の固定片（３３１）が円形に離隔するように配列されて固定片（３３１）の下面が貯蔵タンク（３００ａ）の内部の底面に固定され、前記固定片（３３１）の安着段差部（３３２）に浄化筒（３００ｂ）の下端部が面接触して設置され、
前記固定片（３３１）と固定片（３３１）との間を連結する第１連結タブ（３３３）が固定片（３３１）の安着段差部（３３２）の高さに比べて低い高さを持つように形成されて前記第１連結タブ（３３３）の下面は貯蔵タンク（３００ａ）の内部の底面に固定され、
前記多数の固定片（３３１）が配列された内側に円形の突出タブ（３３４）が貯蔵タンク（３００ａ）の内部の底面に固定され、
前記突出タブ（３３４）とそれぞれの固定片（３３１）との間を連結する第２連結タブ（３３５）が形成されて貯蔵タンク（３００ａ）の内部の底面に固定される構造を持つことを特徴とする、請求項１に記載の湿式型空気清浄器。
【請求項３】
前記モーター（４２０）と横流型回転ファン（４００ａ）との間に設置されるように、モーター（４２０）と横流型回転ファン（４００ａ）とを連結する回転軸（４２１）に、多数の羽根（４１０ｂ）が放射状に形成された軸流型回転ファンがさらに設置されることを特徴とする、請求項１に記載の湿式型空気清浄器。
【請求項４】
前記横流型回転ファン（４００ａ）、モーター（４２０）および内部カバー（５００）の代わりに外部カバー（１００）の網体（１１０）の下面中央に結束されたモーター（４２０）に連結されて外部カバー（１００）の内部に設置される軸流型回転ファン（４００ｂ）が設置され、
前記ポンプ（３１０）に連結された移動管（３２０）が外部カバー（１００）の内部の両側にそれぞれ分かれて上方に延び、前記延びた移動管（３２０）の端部にノズル孔（６２０）が設けられ、
前記外部カバー（１００）内の両側の移動管（３２０）の間にフィルター部（７００）が設置されることを特徴とする、請求項１に記載の湿式型空気清浄器。
【請求項５】
前記横流型回転ファン（４００ａ）およびモーター（４２０）の代わりに外部カバー（１００）の網体（１１０）の下面中央に結束されたモーター（４２０）に連結されて外部カバー（１００）の内部に設置される軸流型回転ファン（４００ｂ）が設置され、
前記貯蔵タンク（３００ａ）の浄化筒（３００ｂ）の上端部が上方に延びて外部カバー（１００）の内部に上部が形成されながら、上端部が凸状からなる半球キャップが形成され、
前記浄化筒（３００ｂ）の内部のポンプ（３１０）に連結されて浄化筒（３００ｂ）の半球キャップの上面中央を介して突出延長されて両側にそれぞれパイプ状のノズル部（６００）が形成された移動管（３２０）が設置され、
前記外部カバー（１００）と外部カバー（１００）内の浄化筒（３００ｂ）との間に内部カバー（５００）が設置され、前記内部カバー（５００）の下端部は貯蔵タンク（３００ａ）の内部に所定の長さだけ下方へ延びることを特徴とする、請求項１に記載の湿式型空気清浄器。
【請求項６】
前記内部カバー（５００）の上端部が外側に折り曲げられながら水平に延び、外部カバー（１００）の内側に面接触するスリップ部（５１０）が形成されることを特徴とする、請求項５に記載の湿式型空気清浄器。
【請求項７】
前記内部カバー（５００）の内径が下方に行くほど漸次さらに大きく形成されることを特徴とする、請求項１または５に記載の湿式型空気清浄器。
【請求項８】
前記内部カバー（５００）の内側及び浄化筒（３００ｂ）の外側に多数の垂直型の突出バー（３０１、５０１）が互いに離隔するように突設され、ジグザグ状に配列されるようにすることを特徴とする、請求項５に記載の湿式型空気清浄器。
【請求項９】
前記空気清浄器の外部カバー（１００）内の内周面全体、空気排出部（２００）の排出口（２１０）と貫通孔（２２０）を含む上面と下面、貯蔵タンク（３００ａ）内の内周面、及び浄化筒（３００ｂ）内の内周面に銀ナノがコーティングされることを特徴とする、請求項１または５に記載の湿式型空気清浄器。
【請求項１０】
前記外部カバー（１００）の内部または空気排出部（２００）の下面に紫外線殺菌ランプをさらに含むことを特徴とする、請求項１または５に記載の湿式型空気清浄器。
【請求項１１】
内部の上部が吸入部（８１０）、中央部が排出部（８２０）、下部が貯蔵部（８３０）としてそれぞれ区画されるハウジング（８００）が備えられ、吸入部（８１０）と排出部（８２０）との間に水平の第１隔壁（８１１）が、前記排出部（８２０）と貯蔵部（８３０）との間に水平の第２隔壁（８２１）がそれぞれ形成され、
第１隔壁（８１１）の後端部に面接触結合されて上方に所定の長さだけ延びながら前記第２隔壁（８２１）の後端部に下方へ延びた下端部が面接触結合される遮断膜（８０１）が形成され、前記遮断膜（８０１）とハウジング（８００）の後面との間に遮断膜（８０１）の垂直長さ方向に狭小な空間部（８０２）が形成され、
前記吸入部（８１０）の内部一側に結束されたモーター（４２０）に連結されて吸入部の内部に設置される水平の横流型回転ファン（４００ａ）が備えられ、
前記貯蔵部（８３０）の内部空間が汚染部（８３１）と浄化部（８３２）に区画されるように内部に垂直の第３隔壁（８３３）が設置され、前記第３隔壁（８３３）の一面に流入孔（８３４）が穿設され、
前記浄化部（８３２）の内部に設置されたポンプ（３１０）に連結されて排出部（８２０）と吸入部（８３０）に上方へ延びた移動管（３２０）の端部に連結されて吸入部（８１０）内の上端に設置され、水平の長さ方向に離隔した多数のノズル孔（６２０）が形成された水平のノズルバー（６００）が備えられ、
前記ハウジング（８００）の前面および第２隔壁（８２１）は多数の通孔を有する網体（８０３、８２２）からなることを特徴とする、湿式型空気清浄器。
【請求項１２】
前記空間部（８０２）の内部における遮断膜（８０１）の内側とハウジング（８００）の後面内側に凹凸部（８０４）が設けられることを特徴とする、請求項１１に記載の湿式型空気清浄器。
【発明の詳細な説明】
【技術分野】
【０００１】
本発明は、湿式型空気清浄器に関し、より詳しくは、空気清浄器の内部に汚染空気を通過させて汚染源を水と接触させることにより汚染源を除去し、空気清浄器内部の回転ファンの回転により汚染空気を内部へ流入させると同時に、内部に流入した水を回転する回転ファンに衝突接触させて粒子の微細な水粒子として分散させて空気との接触面積を大きくし、空気中の汚染物質が、染み込んだ水と一緒に、移動時間の長い狭小な移動通路を経ることにより、水と空気の滞留時間および衝突時間を長く持つようにして、貯蔵タンクに流入または沈殿するようにするとともに、室内環境の加湿機能を持つようにする湿式型空気清浄器に関する。
【背景技術】
【０００２】
一般に、空気清浄器は、微細粉塵、各種の有害ガス、雑菌、カビ、ウイルスなどが含まれた空気から浄化媒体を介して汚染物質を除去した後、清浄な空気を排出する機構である。
【０００３】
このような空気清浄器は、空気清浄機能だけでなく、生活臭の除去、 ダニや花粉、ペットの毛などの小さな粒子の除去、空気感染による疾病の予防などといった様々な機能が備えられる。
【０００４】
この種の空気清浄器は乾式と湿式の二つのタイプに大別され、前記乾式は電気集塵式とフィルター濾過式の二つのタイプに大別される。
【０００５】
前記電気集塵式は、フィルターがないため、フィルターを交換する必要がないという利点はあるものの、電気集塵板に粉塵が溜まると、浄化能力が低下し且つ粉塵除去能力が弱いという欠点がある。
【０００６】
前記フィルター濾過式は、フィルターの間に空気が流れながら、各種微粒子をフィルターで濾過するため、浄化能力に優れて黄砂向けには適切であるものの、定期的にフィルターを交換する必要があるため、メンテナンスのためのフィルター交換費用が発生するという欠点がある。
【０００７】
前記乾式に比べて、湿式の空気清浄器は、吸入された空気を水に接触させて浮遊物質を水に沈殿させる方式であって、フィルターを交換する必要がなく、騒音が少なく、加湿器の機能をすることができるという利点を持つ。
【０００８】
しかし、従来の湿式空気清浄器は、水位を感知するセンサーを使用する際に、水と直接接触して作動する方式を採用することにより、水垢による作動不良の問題が発生する。そして、水を揚水するにあたり、揚水ファンの回転と一緒に、ケース部に貯留された水も一緒に回転するので、一定の揚水量を確保することができず、噴射された水と吸入された空気との接触が正常に行われないので、空気清浄効率が低下する。
【発明の概要】
【発明が解決しようとする課題】
【０００９】
そこで、本発明は、上述したような従来の問題点を解決するためになされたもので、その目的は、空気清浄器の内部に設置された水平または垂直型の回転ファンを介して外部の汚染空気を強制的に空気清浄器の内部に流入させ、これと同時に貯蔵タンクの浄化されたきれいな水を空気清浄器の内部に噴射させて、回転する水平または垂直型の回転ファンにより流入した外部空気の遠心力によって衝突させ、これにより水が微細粒子として分散しながら空気と十分に接触して空気中の汚染物質を水に浸透させることにより、滞留時間の長い狭小な移動通路を介して貯蔵タンクに流入するようにすることにある。
【００１０】
本発明の他の目的は、前記回転ファンにより流入した外部空気と噴射される水とが接触して回転ファンの空気移動速度によって混合された水及び空気が狭い移動通路を経ることにより、外部空気中の微細粒子が水に吸着する効率を極大化することにある。
【課題を解決するための手段】
【００１１】
上記の目的を達成するための本発明は、上面が通孔付き網体からなり、外側面が密閉された外部カバーと、前記外部カバーの下部に設けられ、下面内側に貫通して外側面に連通する排出口が多数穿設された空気排出部と、前記空気排出部の下部に設けられ、内部には区画された浄化筒が設置された貯蔵タンクと、前記空気排出部の上面中央に結束されたモーターに連結され、外部カバーの内部に設置される横流型回転ファンと、前記外部カバーと前記回転ファンとの間に設置され、外側面が密閉され且つ上部が開放された内部カバーと、前記貯蔵タンクの浄化筒内に設置されたポンプに連結されて空気排出部を貫通して外部カバーと内部カバーとの間を通じて上方に延びた移動管の端部に連結され、内部に流路ホールを有し、下面に多数のノズル孔を有するノズル部とを含んでなる、湿式型空気清浄器を提供する。
【００１２】
また、前記モーターと回転ファンとの間に設置されるように、モーターと横流型回転ファンとを連結する回転軸に軸流型回転ファンがさらに設置される、湿式型空気清浄器を提供する。
【００１３】
また、前記横流型回転ファン、モーターおよび内部カバーの代わりに外部カバーの網体の下面中央に結束されたモーターに連結されて外部カバーの内部に設置される軸流型回転ファンが設置され、前記ポンプに連結された移動管が外部カバー内部の両側にそれぞれ分かれて上方に延び、前記延びた移動管の端部にノズル孔が設けられ、前記外部カバー内部の両側の移動管の間にフィルター部が設置される、湿式型空気清浄器を提供する。
また、前記移動管の代わりに貯蔵タンクの浄化筒の上端部が上方に延び、外部カバーの内部に上部が形成されながら、上端部が凸状からなる半球キャップが形成され、前記浄化筒内部のポンプに連結されて浄化筒の半球キャップの上面中央を通じて延びて両側にそれぞれノズル部が形成された移動管が設置され、前記外部カバーと該外部カバーの内部の浄化筒との間に内部カバーが設置される、湿式型空気清浄器を提供する。
【００１４】
また、前記内部カバーの上端部が外側に折り曲げられながら水平に延び、外部カバーの内側に面接触するスリップ部が形成される、湿式型空気清浄器を提供する。
【００１５】
また、前記内部カバーの内径が下方に行くほど漸次大きく形成される、湿式型空気清浄器を提供する。
【００１６】
また、前記内部カバーの内側及び浄化筒の外側に垂直型の突出バーが突設されてジグザグ状に配列されるようにする、湿式型空気清浄器を提供する。
【００１７】
また、内部の上部が吸入部、中央部が排出部、下部が貯蔵部としてそれぞれ区画されるハウジングが備えられ、吸入部と中央部との間に水平の第１隔壁が、中央部と排出部との間に水平の第２隔壁がそれぞれ形成され、第１隔壁の後端部に面接触結合されて上方に所定の長さだけ延びながら前記第２隔壁に下端部が面接触結合される遮断膜が形成され、前記遮断膜とハウジングの後面との間に遮断膜の垂直長さ方向に狭小な空間部が形成され、前記吸入部内の一側に結束されたモーターに連結される水平の横流型回転ファンが備えられ、前記貯蔵部の内部空間を汚染部と浄化部に区画するように内部に垂直の隔壁が設置され、前記隔壁の一面に流入孔が穿設され、前記ハウジングの前面および第２隔壁は多数の通孔を有する網体からなる、湿式型空気清浄器を提供する。
【００１８】
また、前記空間部の内部における遮断膜の内側とハウジングの後面内側に凹凸部が設けられる、湿式型空気清浄器を提供する。
【発明の効果】
【００１９】
上述したように、本発明の湿式型空気清浄器は、空気清浄器の内部に設置された水平型または垂直型の回転ファンを介して外部の汚染空気を強制的に空気清浄器の内部に流入させると同時に、貯蔵タンクの浄化されたきれいな水を空気清浄器の内部へ噴射させることにより、回転する回転ファンに衝突させて、水が微細粒子として分散しながら空気と接触して空気中の汚染物質を水に浸透させて貯蔵タンクに流入するようにする効果、および前記外部空気と水が回転ファンの空気流れに従って狭小な幅及び長い長さの移動通路を通過しながら、外部空気の微細粉塵と水との接触面積または接触時間を延長して外部空気内の微細粉塵が水に吸着するようにすることにより、浄化された空気のみが排出されるようにする効果を持っている。
【図面の簡単な説明】
【００２０】
【図１】本発明に係る湿式型空気清浄器の斜視図である。
【図２】本発明に係る湿式型空気清浄器の組立分解図である。
【図３】本発明に係る湿式型空気清浄器における空気排出部の斜視図（ａ）、切断斜視図（ｂ）及び平面図（ｃ）である。
【図４】本発明に係る湿式型空気清浄器における貯蔵タンク内の底面の受け部を示す詳細構造図である。
【図５】本発明に係る湿式型空気清浄器におけるノズル部の斜視図（ａ）、切断斜視図（ｂ）及び底面斜視図（ｃ）である。
【図６】本発明に係る湿式型空気清浄器における空気清浄器の作動による空気と水の流れを示す断面図である。
【図７】本発明に係る湿式型空気清浄器における軸流型回転ファンが設置された空気清浄器の作動による空気及び水の流れを示す断面図である。
【図８】本発明に係る湿式型空気清浄器における軸流型回転ファンとフィルター部が外部カバー内に設置された空気清浄器の作動による空気及び水の流れを示す断面図である。
【図９】本発明に係る湿式型空気清浄器における軸流型回転ファンと半球キャップの浄化筒が設置された空気清浄器の作動による空気及び水の流れを示す断面図である。
【図１０】図９の本発明に係る湿式型空気清浄器における内部カバーの上端にスリップ部が形成された空気清浄器の作動による空気及び水の流れを示す断面図である。
【図１１】本発明に係る湿式型空気清浄器における内部カバーと浄化筒に突出バーが形成された断面図である。
【図１２】本発明に係る湿式型空気清浄器における内部カバーの内周面に突出バーが形成された断面図である。
【図１３】本発明に係る湿式型空気清浄器における菱形の内部カバーが形成された空気清浄器の作動による空気及び水の流れを示す断面図である。
【図１４】図１３の本発明に係る湿式型空気清浄器における内部カバーの斜視図である。
【図１５】本発明に係る湿式型空気清浄器のハウジングの形態を示す斜視図である。
【図１６】図１５の本発明に係る湿式型空気清浄器における、前面を開放した内部構造を示す斜視図である。
【図１７】図１５の本発明に係る湿式型空気清浄器における水平の横流型回転ファンとモーターの組立図である。
【図１８】図１５の本発明に係る湿式型空気清浄器におけるモーター−移送管−ノズル部の連結を示す斜視図である。
【図１９】図１５の本発明に係る湿式型空気清浄器におけるハウジングの後部の遮断膜が形成された構造図である。
【図２０】図１５の本発明に係る湿式型空気清浄器における空気清浄器の作動による空気及び水の流れを示す断面図である。
【図２１】図１５の本発明に係る湿式型空気清浄器における空間部の両側内壁に凹凸部が設けられた空気清浄器の作動による空気及び水の流れを示す断面図である。
【発明を実施するための形態】
【００２１】
上記の目的を達成するための下記の実施例を添付図面に基づいて詳細に説明する。
【００２２】
本発明は、図１乃至図６に示すように、上面が通孔付き網体１１０からなり、外側面が密閉された外部カバー１００と、前記外部カバー１００の下部に設けられ、下面内側に貫通して外側面に連通する排出口２１０が多数穿設され、前記多数の排出口２１０が配列された下面の内側に多数の貫通孔２２０が上面に貫通して形成された空気排出部２００と、前記空気排出部２００の下部に設けられ、内部には区画された浄化筒３００ｂが設置された貯蔵タンク３００ａと、前記空気排出部２００の上面中央に結束されたモーター４２０に連結され、外部カバー１００の内部に設置される横流型回転ファン４００ａと、前記外部カバー１００と回転ファン４００ａとの間に設置され、外側面が密閉され且つ上部が開放された内部カバー５００と、前記内部カバー５００の上端部に設けられ、貯蔵タンク３００ａの浄化筒３００ｂ内に設置されたポンプ３１０に連結されて空気排出部２００を貫通して外部カバー１００と内部カバー５００との間を通じて上方に延びた移動管３２０の端部に連結され、内部に流路ホール６１０を有し、下面に多数のノズル孔６２０を有するノズル部６００とを含んでなる、湿式型空気清浄器（以下、「空気清浄器」という）を提供する。
【００２３】
上述した実施例の湿式型空気清浄器１０は、大きく外部カバー１００、空気排出部２００、貯蔵タンク３００ａ、横流型回転ファン４００ａ、内部カバー５００及びノズル部６００から構成される。
【００２４】
図１及び図２に示すように、前記外部カバー１００は、空気清浄器１０の上部に設置されるもので、上面に多数の通孔を有する網体１１０からなり、外側面は密閉され且つ下部は開放された形態を持つ。
【００２５】
図２及び図３に示すように、前記空気排出部２００は、外部カバー１００の下部に設置固定されるものであって、空気排出部２００の下面内側の一面に貫通して外側面に連通する排出口２１０が下面内側の円周方向に多数穿設され、後述する貯蔵タンク３００ａの内部に流入した清浄空気が前記排出口２１０を介して空気清浄器１０の外部へ排出される構造を持つ。前記空気排出部２００の下面内側の円周に沿って等間隔で離隔した多数の排出口２１０は、貯蔵タンク３００ａの内部に向けて備えられ、貯蔵タンク３００ａに移動した空気が、空気排出部２００外側面に連通した排出口２１０を介して外部へ排出される。
【００２６】
前記空気排出部２００の多数の排出口２１０が配列された下面の内側に多数の貫通孔２２０が空気排出部２００の上面に貫通するように形成され、後述される回転ファン４００ａとノズル部６００を介して外部空気と水が前記貫通孔２２０を介して貯蔵タンク３００ａへ流入するようにする。
【００２７】
前記空気排出部２００の上面中央部、すなわち、前記貫通孔２２０が配列された内側部の中央部は、モーター４２０の下部が固定されるようにする装着板２３０が形成されて空気排出部２００と一体に形成される。
【００２８】
前記空気排出部２００の外側一面には制御部（図示せず）が備えられ、電源部を介してモーターとポンプの駆動を制御しながらモーターの速度調節と作動時間調節などを制御する機能を有し、貯蔵タンクの内部一面に設置された水位調節センサーを介してアラームまたは自動オフを制御する機能をさらに含むことができる。
【００２９】
また、外部の湿度を感知する湿度感知センサーが制御部に含まれ、現在湿度及び湿度調節などを表示する表示部と、前記湿度を調節する操作部とが含まれて制御する機能をさらに含むことができる。
【００３０】
図２及び図６に示すように、前記貯蔵タンク３００ａは、空気排出部２００の下部に設置固定され、内部には区画された浄化筒３００ｂが設置され、前記浄化筒３００ｂは、上部は密閉され且つ下部は開放された形態を有しながら、前記浄化筒３００ｂの上部の密閉された一面を、浄化筒の内部に設置されたポンプ３１０に連結されて上方に延びる移動管３２０が通過して浄化筒３００ｂの上部に上方へ延びる。図４に示すように、前記浄化筒３００ｂの下部に設置され、貯蔵タンク３００ａの内部に固定される受け部３３０は、内側に安着段差部３３２が形成された多数の固定片３３１が円形に離隔して配列される。この時、前記固定片３３１の安着段差部３３２に浄化筒３００ｂの下端部が面接触して浄化筒３００ｂが設置され、前記浄化筒３００ｂの下端部の形状に応じて多数の固定片３３１が貯蔵タンク３００ａの内部底面に固定設置される。一例として、浄化筒３００ａの下端部がリング状の円形であれば、前記固定片３３１が円形に配列されて貯蔵タンク３００ａの底面に固定される。
【００３１】
前記固定片３３１と固定片３３１との間を連結する第１連結タブ３３３が形成されるが、固定片３３１の安着段差部３３２の高さに比べて低い高さを持つように第１連結タブ３３３が形成される。この時、前記第１連結タブ３３３の下面は貯蔵タンク３００ａの底面に固定される。
【００３２】
前記多数の固定片３３１が配列された位置の内側に円形の突出タブ３３４が貯蔵タンク３００ａの内部底面に固定され、前記突出タブ３３４とそれぞれの固定片３３１との間を連結する第２連結タブ３３５が形成されて貯蔵タンク３００ａの内部底面に固定される。
【００３３】
このため、前記受け部３３０は、固定片３３１、第１連結タブ３３３、突出タブ３３４及び第２連結タブ３３５から構成され、前記多数配列された固定片３３１の安着段差部３３２に浄化筒３００ｂの下端部が面接触密着して設置される。
【００３４】
前記貯蔵タンク３００ａに流入した微細粉塵が含有された水（以下、「汚染水」という。）が浄化筒３００ｂの内部に流入するとき、受け部３３０の固定片３３１と固定片３３１との間を介して浄化筒３００ｂの内部に流入する。この時、第１連結タブ３３３、第２連結タブ３３５及び突出タブ３３４によって、汚染水に含まれている微細粉塵などが遮断され、浄化筒３００ｂの内部には浄化された水のみが流入する。
【００３５】
すなわち、前記受け部３３０は、貯蔵タンク３００ａに流入する水に含有された微細粉塵などが浄化筒３３０ｂの内部に流入しないように遮断する役目をし、前記浄化筒３００ｂの内部には微細粉塵の除去された浄化水のみが流入するようにする。
【００３６】
また、前記多数の固定片３３１が配列された外周に固定片３３１の外側を密着させながら、固定片３３１と固定片３３１との間に内蔵されるフィルター部材（図示せず）をさらに含み、前記フィルター部材を介して、水に含有された微細粉塵などをフィルタリングするようにする。
【００３７】
図２および図６に示すように、前記横流型回転ファン４００ａは、垂直に装着されるものであって、多数のブレード４１０ａが垂直に配列され、回転の際に回転ファン４００ａの上部の空気を流入させて回転ファン４００ａの下部へ排出する原理で作用する通常の回転ファン４００ａを使用し、前記回転ファン４００ａは、外部カバー１００の内部に設置され、前記空気排出部２００の上面中央に結束されたモーター４２０に連結されて備えられる。
【００３８】
前記モーター４２０の駆動によって回転ファン４００ａが一方向に回転しながら、外部カバー１００の網体１１０を介して外部空気を外部カバー１００の内部へ強制流入させ、前記外部カバー１００の内部に流入した外部空気は回転ファン４００ａの下部へ移動させる。
【００３９】
図２および図６に示すように、前記内部カバー５００は、前記外部カバー１００と回転ファン４００ａとの間に設置され、外側面が密閉され、上部と下部が開放され、回転ファン４００ａを内蔵した内部カバー５００の下端部が空気排出部２００の上面に面接触して固定される。
【００４０】
前記回転ファン４００ａの回転によって外部カバー１００の上面の網体１１０を介して外部空気が流入して内部カバー５００の内部へ移動し、後述のノズル部６００を介して噴射される水が回転ファン４００ａの回転により微細粒子として分散しながら前記空気と接触して内部カバー５００と回転ファン４００ａとの間の空間を介して空気排出部２００の貫通孔２２０を通過して貯蔵タンク３００ａに流入する。そして、前記内部カバー５００と回転ファン４００ａとの間の空間の下端部に空気排出部２００の貫通孔２２０が位置し、前記内部カバー５００の下端部が空気排出部２００の貫通孔２２０の外側外周に安着して密閉固定され、前記混合された外部空気と水が内部カバー５００の下端部の外部へ漏れないように密閉されて提供される。前記貯蔵タンク３００ａの内部に移動した空気は、空気排出部２００の排出口２１０を介して空気清浄器１０の外部へ排出される。このとき、排出される空気は、空気中の微細粉塵などが除去された清浄空気である。
【００４１】
図２、図５及び図６に示すように、前記ノズル部６００は、前記内部カバー５００の上端部に安着して結合され、前記ノズル部６００の内部に流路ホール６１０が形成されながら下面に多数のノズル孔６２０が形成される。
【００４２】
前記貯蔵タンク３００ａの浄化筒３００ｂの内部に設置されたポンプ３１０に連結され、空気排出部２００を貫通して外部カバー１００と内部カバー５００との間を通じて上方に延びた移動管３２０の端部に連結されるように、外側一面には内部の流路ホール６１０に連通した連結具６０１が形成され、前記ポンプ３１０の作動により、浄化筒３００ｂの内部に収容された水が移動管３２０を介してノズル部６００の流路ホール６１０内に流入することにより、ノズル部６１０の下面の多数のノズル孔６２０を介して水が噴射される。
【００４３】
前記内部カバー５００の上端部に結合されたノズル部６００のノズル孔６２０は、内部カバー５００の内部を向くように形成される。これにより、ノズル孔６２０を介して噴射される水が内部カバー６２０内に流入して噴射される。
【００４４】
また、前記ノズル部６００の下部ｍｐ外側端部に所定の長さだけ垂直延長された結合片６３０がさらに形成され、内部カバー５００の外側面の上端に前記結合片６３０の内側面が嵌め込まれて密着することにより、ノズル部６００が内部カバー５００から離脱することを防止する。
【００４５】
また、前記ノズル部６００の下面に形成されたノズル孔６２０の代わりに、リング状のノズル部６００の内周面にノズル孔６２０が形成され、水が回転ファン４００ａ及び内部カバー５００の内部へ噴射されるようにすることができる。
【００４６】
以下、上述した本発明の湿式型空気清浄器の一実施例の構成要素を用いて空気浄化過程を図６に示されている空気と水の流れ図によって述べる。
【００４７】
まず、モーター４２０の駆動により回転ファン４００ａが回転しながら外部カバー１００の上面の網体１１０を介して外部空気が流入する。このとき、ポンプ３１０の作動により、浄化筒３００ｂの内部に収容された水が移動管３２０を介してノズル部６００の流路ホール６１０に流入してノズル孔６２０を介して内部カバー５００内に噴射され、前記回転ファン４００ａとノズル部６００によって内部カバー５００内に流入及び噴射された外部空気と水を回転ファン４００ａの回転速度によって内部カバー５００内の壁面に衝突させて、水粒子と外部空気の微細粉塵とが接触しながら水粒子に微細粉塵が吸着する。このとき、水と空気は、回転ファン４００ａの回転により、空気移動方向である内部カバー５００と回転ファン４００ａとの間を移動通路を介して下方に移動しながら、空気排出部２００の貫通孔２２０を介して貯蔵タンク３００ａに流入する。このとき、貯蔵タンク３００ａの内部に流入した水及び空気から微細粒子を吸着した水は貯蔵タンク３００ａの内部に収容され、空気は貯蔵タンク３００ａの内部に収容された水の表面または貯蔵タンク３００ａの内部壁面と衝突しながら、空気排出部２００の排出口２１０を介して外部へ浄化空気を排出する。
【００４８】
前記貯蔵タンク３００ａに収容された汚染水は、貯蔵タンク３００ａの内部底面に備えられた受け部３３０の固定片３３１と固定片３３１との間を介して固定片３３１の安着段差部３３２の上部に安着した浄化筒３００ｂの内部に流入する。これにより、浄化筒３００ｂの内部に浄化水を収容する。
【００４９】
また、図７に示すように、前記モーター４２０と横流型回転ファン４００ａとの間に設置されるように、モーター４２０と横流型回転ファン４００ａとを連結する回転軸４２１に、多数の羽根４１０ｂが放射状に形成された軸流型回転ファン４００ｂがさらに設置される、湿式型空気清浄器１０を提供する。
【００５０】
前記横流型回転ファン４００ａによって、水と空気との衝突で内部カバー５００内の壁面及び内部カバー５００と回転ファン４００ａとの間に沿って下方に落下する水と空気とを再び互いに衝突するようにするか、内部カバー５００内の壁面に互いに接触または衝突するようにして、流入した空気中の微細粉塵が水粒子に吸着するように横流型回転ファン４００ａの下部に軸流型回転ファン４００ｂをさらに設置し、前記モーター４２０の駆動で回転軸４２１が回転しながら、同時に横流型回転ファン４００ａと軸流型回転ファン４００ｂが回転するようにする。
【００５１】
また、前記横流型回転ファン４００ａ、モーター４２０及び内部カバー５００の代わりに、図８に示すように、外部カバー１００の網体１１０の下面中央に結束されたモーター４２０に連結されて外部カバー１００の内部に設置される軸流型回転ファン４００ｂが設置され、前記ポンプ３１０に連結された移動管３２０が外部カバー１００の内部の両側にそれぞれ分かれて上方に延びながら、前記延びた移動管３２０の端部にノズル孔６２０が形成され、前記外部カバー１００内の両側の移動管３２０の間にフィルター部７００が設置される、湿式型空気清浄器１０を提供する。
【００５２】
前記外部カバー１００の網体１１０の下面に設置されたモーター４２０の駆動により、モーター４２０に連結された軸流型回転ファン４００ｂが回転しながら、外部空気が網体１１０を介して外部カバー１００の内部に流入し、浄化筒３００ｂの内部に備えられたポンプ３１０の作動により、移動管３２０を介して水が移動しながら前記移動管３２０が両側にそれぞれ分かれ、連携された移動管３２０が外部カバー１００の内部に上方へ延びる前記両側の移動管３２０の端部のノズル孔６２０を介して水を噴射して外部空気と接触および衝突しながら、前記外部カバー１００内の両側の移動管３２０の間にフィルター部７００を介して水と空気が染み込みながら空気中の微細粒子が水に吸着し、水の荷重と回転ファン４００ｂの空気移動方向による空気圧により、フィルター部７００に染み込んだ空気と水がフィルター部７００の下部へ落下して貯蔵タンク３００ａの内部に流入する。
前記フィルター部７００は、上面及び下面を貫通する多数の通孔（図示せず）が形成されるか、或いはスポンジ状に多数の気孔（図示せず）が形成された材質からなり、空気中の微細粉塵をフィルタリングするよりは、水と空気との接触時間を延長し或いは接触面積を増大させ、空気中の微細粉塵が完全に水に吸着するようにする。
【００５３】
また、前記横流型回転ファン４００ａとモーター４２０の代わりに、図９に示すように、外部カバー１００の網体１１０の下面中央に結束されたモーター４２０に連結されて外部カバー１００の内部に設置される軸流型回転ファン４００ｂが設置され、前記貯蔵タンク３００ａの浄化筒３００ｂの上端部が上方に延びて外部カバー１００の内部に上部が形成されながら、上端部が凸状からなる半球キャップが形成され、前記浄化筒３００ｂの内部のポンプ３１０に連結されて浄化筒３００ｂの半球キャップの上面中央を介して突出延長されて両側にそれぞれパイプ状のノズル部６００が形成された移動管３２０が設置され、前記外部カバー１００と外部カバー１００内の浄化筒３００ｂとの間に内部カバー５００が設置され、前記内部カバー５００の下端部は貯蔵タンク３００ａの内部に所定の長さだけ下方に延びる、湿式型空気清浄器１０を提供する。
【００５４】
前記回転ファン４００ｂの回転により、外部空気が外部カバー１００の網体１１０を介して外部カバー１００の内部に流入しながら、ポンプ３１０の作動により、移動管３２０を介して半球キャップの外部両側に延びたノズル部６００の下面に等間隔で形成されたノズル孔６２０、またはノズル部６００の端部に形成されたノズル孔６１０を介して水が噴射され、外部空気が半球キャップと衝突しながら半球キャップの外側に外部空気が移動する。このとき、回転ファン４００ｂによって、外部空気と噴射された水が内部カバー５００の壁面に衝突及び接触しながら、内部カバー５００と浄化筒３００ｂとの間に沿って下方へ移動して貯蔵タンク３００ａの内部に流入する。
【００５５】
前記内部カバー５００は、貯蔵タンク３００ａの内部に所定の長さだけ下方へ延び、内部カバー５００と浄化筒３００ｂとの間の水と空気が移動する移動通路を長くして水と空気との接触時間を延長して、空気中の微細粉塵が水に十分に吸着するようにする。このとき、上述した空気排出部２００の貫通孔２２０と装着板２３０が除去され、貫通した空間を形成する。
【００５６】
また、図１０に示すように、前記内部カバー５００の上端部が外側に折り曲げられながら水平に延び、外部カバー１００の内側に面接触するスリップ部５１０が形成される、湿式型空気清浄器１０を提供する。
前記内部カバー５００の上端部がスリップ部５１０を形成することにより、回転ファン４００ｂの回転により、流入した外部空気と噴射される水との接触範囲を広めるようにすることで、水と空気が内部カバー５００と浄化筒３００ｂとの間を直ちに落下せず、前記スリップ部５１０により水と空気の滞留時間を持つので空気中の微細粉塵が水に接触するようにする。
【００５７】
また、図１３および図１４に示すように、前記内部カバー５００の内径が下方に行くほど漸次大きく形成される、湿式型空気清浄器１０を提供する。
【００５８】
図１４に示した内部カバー５００内の上部内径Ｌ１から下部内径Ｌ２に至るまで内径が漸次増加する内部カバー５００の内部形態を有する。
【００５９】
前記内部カバー５００の内径構造により、回転ファン４００ａ、４００ｂの回転で外部空気を流入させるとき、内部カバー５００内の上部と下部との空気圧に差が発生し、内部カバー５００内の下部の広い内径により低い空気圧を持つため、内部カバー５００内の上部に流入した空気が速い速度で内部カバー５００内の下部へ移動しながら同時に拡散し、また、分散する水も内部カバー５００の内部へ移動しながら水粒子の移動速度と拡散範囲により空気との接触効率が増大して空気中の微細粉塵が水粒子に吸着するようにする。
また、図１１に示すように、前記内部カバー５００の内側と浄化筒３００ｂの外側に多数の垂直型の突出バー５０１、３０１が互いに離隔して突設され、ジグザグ状に配列されるようにする、湿式型空気清浄器１０を提供する。
【００６０】
前記内部カバー５００の内側と浄化筒３００ｂの外側に離隔して突設された多数の突出バー５０１、３０１がジグザグ状に配列され、内部カバー５００の内部に流入した水と空気の滞留時間を延長して衝突及び接触を極大化することにより、空気中の微細粉塵が水粒子に完全吸着するようにする。
【００６１】
また、図１２に示すように、前記内部カバー５００の内側に突出バー５０１が突設されることにより、外部空気と水が前記突出バー５０１に衝突しながら接触範囲を広めて、空気中に含まれている微細粉塵などが水粒子の内部に吸着するようにする。
【００６２】
また、前記空気清浄器１０の外部カバー１００内の内周面全体、空気排出部２００の排出口２１０及び貫通孔２２０を含む上面と下面、貯蔵タンク３００ａ内の内周面及び浄化筒３００ｂ内の内周面に銀ナノがコーティングされることにより、空気と水に含有されている各種の細菌と有害成分を除去して清潔な状態を維持するようにする。前記銀ナノは、ナノテクノロジー分野の一つで、銀の強力な抗菌および殺菌機能などを利用した先端抗殺菌剤であって、銀の強力な抗菌および殺菌機能、電磁波遮断性に優れた電気伝導性のメカニズムを利用した先端抗殺菌剤である。銀ナノは、伝統的な抗生物質とは異なり、細菌が耐性を持つことができないものである。銀ナノは、現在までの実験結果、地上のほぼすべての単細胞病原菌を短時間で殺菌することが確認されるので、本発明の空気と水とが接触する全ての構成要素に適用できるようにした。
【００６３】
また、前記外部カバー１００の内部または空気排出部２００の下面に紫外線殺菌ランプ（図示せず）をさらに含むことにより、外部カバー１００の内部に吸入及び噴射される空気及び水に含有された各種細菌を除去して空気清浄器の内部が清浄の環境を維持するようにする。
【００６４】
前記外部カバー１００の内部に設置される紫外線殺菌ランプは、外部カバー１００の網体１１０の下面または外部カバー１００内の壁面の一部に設置し、除菌効果を増大させることができる。
【００６５】
そして、前記紫外線殺菌ランプが設置された空気清浄器１０から内部の水を全て除去し、回転ファン４００ａ、４００ｂのみを作動させて外部空気を強制吸入した後、空気中に含まれている水分を紫外線殺菌ランプを照射して除去することにより、除湿の役目をすることができるようにした。
【００６６】
また、前記貯蔵タンク３００ａの浄化筒３００ｂの内部に設置されたポンプ３１０の作動時に浄化筒３００ｂの内部に水が不足すると、ポンプ３１０の作動が自動的に停止する機能がポンプ３１０に含まれている通常のポンプを使用することができる。
【００６７】
また、図１５乃至図２０に示すように、内部の上部が吸入部８１０、中央部が排出部８２０、下部が貯蔵部８３０として区画されるハウジング８００が備えられることにより、吸入部８１０と排出部８２０との間に水平の第１隔壁８１１が、前記排出部８２０と貯蔵部８３０との間に水平の第２隔壁８２１がそれぞれ形成され、前記第１隔壁８１１の後端部に面接触結合されて上方に所定の長さだけ延びながら、前記第２隔壁８２１の後端部に下方へ延びた下端部が面接触結合される遮断膜８０１が形成されるが、前記遮断膜８０１とハウジング８００の後面との間に遮断膜８０１の垂直長さ方向に狭小な空間部８０２が形成され、前記吸入部８１０の内部の一側に結束されたモーター４２０に連結されて吸入部の内部に設置される水平の横流型回転ファン４００ａが備えられ、前記貯蔵部８３０の内部空間が汚染部８３１と浄化部８３２に区画されるように内部に垂直の第３隔壁８３３が設置され、前記第３隔壁８３３の一面に貫通した流入孔８３４が形成され、前記浄化部８３２の内部に設置されたポンプ３１０に連結されて排出部８２０と吸入部８３０へ上方に延びた移動管３２０の端部に連結されて吸入部８１０内の上端に設置され、水平の長さ方向に離隔した多数のノズル孔６２０が形成された水平のノズルバー６００が備えられ、前記ハウジング８００の前面と第２隔壁８２１は多数の通孔を有する網体８０３、８２２からなる、湿式型空気清浄器１０を提供する。
【００６８】
前記ハウジング８００は、内部に区画された空間を有し、外側面が密閉された形態を有するが、前記ハウジング８００内の区画された吸入部８１０と排出部８２０が位置したハウジング８００の前方面、及び前記排出部８２０が位置した両側面には多数の通孔を有する網体８０３が形成され、前記ハウジング８００の内部が吸入部８１０、排出部８２０及び貯蔵部８３０として区画されるように、吸入部８１０と排出部８２０との間に水平の第１隔壁８１１が、排出部と貯蔵部８３０との間には水平の第２隔壁８２１がそれぞれ形成される。
【００６９】
図１６及び図１９に示すように、前記第２隔壁８２１の前面には多数の通孔を有する網体８２２が形成され、貯蔵部８３０へ移動した空気が前記網体８２２を介して排出部８２０へ移動して、ハウジング８００の前方面に形成された網体８０３を介して空気清浄器１０の外部へ排出される。前記空気清浄器１０の外部へ排出される空気は、微細粉塵などの除去された清浄空気である。
【００７０】
図１９及び図２０に示すように、前記ハウジング８００の内部の後方に狭小な空間部８０２が形成されるように、前記第１隔壁８１１の後端部に面接触結合されて上方に所定の長さだけ延び且つ前記第２隔壁８２１の後端部に面接触結合されて下方に延びた遮断膜８０１が形成される。
【００７１】
そして、図１７に示すように、前記水平の横流型回転ファン４００ａが、前記吸入部８１０の内部一側に結束されたモーター４２０に連結されて備えられる。前記回転ファン４００ａは多数のブレード４１０ａが水平に配列される。よって、前記回転ファン４００ａの回転の際に、ハウジング８００の前面の網体８０３を介して外部空気が吸入部８１０の内部に流入し、ハウジング８１０の内部後方の空間部８０２を介して移動して貯蔵部８３０の汚染部８３１へ移動する。このとき、汚染部８３１に移動した空気は、貯蔵部８３０の内部上部に備えられた第２隔壁８２１の網体８２２を介してハウジング８００の前面の下部網体８０３から外部へ排出される。
【００７２】
図２０に示すように、前記貯蔵部８３０は、内部空間が汚染部８３１と浄化部８３２とに区画されるように内部に垂直の第３隔壁８３３が設置され、前記第３隔壁８３３の一面に流入孔８３４が穿設される。このため、貯蔵部８３０の汚染部８３１に流入した水が前記流入孔８３４を介して浄化部８３２へ流入する。この際、前記流入孔８３４にフィルター（図示せず）がさらに設置されることにより、汚染部８３１に収容された水に含有されている微細粉塵がフィルタリングされて浄化された水が浄化部８３２に流入する。
【００７３】
そして、前記浄化部８３２に流入した水が、前記浄化部８３２の内部に設置されたポンプ３１０の作動によって移動管３２０を介して移動し、ハウジング８００の吸入部８１０の内周に、移動管３２０の端部に連結されたノズルバー６００のノズル孔６２０を介して噴射され、回転ファン４００ａの回転によって空気の移動方向に従って外部空気と水とが接触してハウジング８００の内部の後方空間部８０２を介して移動し、貯蔵部８３０の汚染部８３１へ移動する。
【００７４】
前記ノズル部６００は、回転ファン４００ａの前方または前方上部に位置して、ノズル部６００のノズル孔６２０に対向する回転ファン４００ａに水を噴射する。
【００７５】
前記空間部８０２は、狭小な内径を持つため、水と空気の移動時間を延長して水と空気との接触及び衝突を極大化することにより、空気中の微細粉塵などが水に十分に吸着するようにする。
【００７６】
また、図２１に示すように、前記空間部８０２の内部で遮断膜８０１の内側とハウジング８００の後面内側に凹凸部８０４が設けられる、湿式型空気清浄器１０を提供する。
【００７７】
前記空間部８０２の凹凸部８０４が設けられることにより、水と空気が移動し、多数の凹凸部８０４が設けられた空間部８０２を通過しながら互いに衝突して接触面積を広めるので、空気中の微細粉塵が水に吸着する効率を増大させることができる。
【００７８】
また、前記ハウジング８００の内周面全体に銀ナノをコーティングすることにより、水と空気に含まれている各種細菌及び有害成分を除去してハウジングの内部が清潔さを維持するようにすることができる。
【００７９】
また、前記ハウジング８００の吸入部８１０の内部上面または排出部８２０の内部上面に紫外線殺菌ランプ（図示せず）を設置し、吸入部８１０の内部に吸入／噴射される空気と水に含有された各種細菌を除去するとともに、排出部８２０を介して外部へ排出される清浄空気中に含有された各種細菌を除去することにより、清浄空気が外部へ排出されるようにする。
【００８０】
さらに、本発明の湿式型空気清浄器は、前記貯蔵部８３０の水を全て除去した後、外部空気を強制吸入し、外部空気中に含有されている水分を紫外線殺菌ランプで除去することにより、除湿する役割としても使用することができる。
【００８１】
上述の実施例によって説明したように、湿式型空気清浄器は、多様に設計変更して製作することができるものである。上述の実施例によってその原理を本発明の構成で限定して製作するが、その原理に基づく機構においては、通常の知識を有する者が設計変更により容易に製作することができる。
【図１】
2018516754.tif 000003
【図２】
2018516754.tif 000004
【図３】
2018516754.tif 000005
【図４】
2018516754.tif 000006
【図５（ａ）】
2018516754.tif 000007
【図５（ｂ）】
2018516754.tif 000008
【図５（ｃ）】
2018516754.tif 000009
【図６】
2018516754.tif 000010
【図７】
2018516754.tif 000011
【図８】
2018516754.tif 000012
【図９】
2018516754.tif 000013
【図１０】
2018516754.tif 000014
【図１１】
2018516754.tif 000015
【図１２】
2018516754.tif 000016
【図１３】
2018516754.tif 000017
【図１４】
2018516754.tif 000018
【図１５】
2018516754.tif 000019
【図１６】
2018516754.tif 000020
【図１７】
2018516754.tif 000021
【図１８】
2018516754.tif 000022
【図１９】
2018516754.tif 000023
【図２０】
2018516754.tif 000024
【図２１】
2018516754.tif 000025
【国際調査報告】
2018516754.tif 000026
2018516754.tif 000027
2018516754.tif 000028
2018516754.tif 000029